(57)【要約】部分的に記録された、例えば光ディスクの、記録担体（１１）上に情報信号を記録する方法と装置である。情報信号は少なくとも１つの情報ユニットを表す。記録担体は、情報ユニットを記録する位置示す予め形成されたトラック位置情報を含む、記録トラックを有する。情報信号から、変調された信号が発生され、且つ、記録トラックが変調信号を記録するために走査される。記録が現在ある記録信号の後で且つ隣接する場合には、ＣＤ−Ｒ／ＣＤ−ＲＷディスク上に記録する２つの部分のシームレスリンキングの方法が記載される。変調信号の記録は、前記記録クロック速度をトラックウォブルにロックしながら、前記以前に記録された情報信号の終了部分の位置に依存する位置で開始される。記録の中断を、データの損失又は、蓄積容量の損失なしに行うことができる。中断されない記録と中断された記録との間に差がないことは、再生システムについて保証される。
2004517431.tif 000002
【特許請求の範囲】
【請求項１】
予め形成されたトラックウォブルと、情報を記録するための予め定められた複数の位置を示す位置情報とを有する記録トラックを有し且つ前記位置の第１の位置は以前に記録された情報信号を含む記録担体上に、少なくとも１つの情報信号を記録する方法であって、前記方法は、
（ａ）少なくとも１つの情報信号を表す変調された信号を発生し、且つ、
（ｂ）記録トラックを走査し且つ、記録クロック速度で、第１の記録された情報信号の後で且つ隣接して、その変調された信号を記録し、
前記方法は、
（ｃ）以前に記録された情報信号を読み出し且つ、前記記録クロック速度をトラックウォブルにロックしながら、前記以前に記録された情報信号の終了部分の位置に依存する位置で、その変調された信号の記録を開始することを特徴とする方法。
【請求項２】
情報信号の中断が検出され、且つ、前記中断の検出後に、基準信号を使用することにより記録が停止され、且つ、中断後の情報信号の存在が検出され、且つ、前記存在検出後に、同じ基準信号を使用して記録が再開始される、請求項１に記載の方法。
【請求項３】
ウォブルは、前記停止と再開始の両方に対する基準信号を構成する、請求項２に記載の方法。
【請求項４】
中断された記録を構成する前記情報信号の位置は、以前に書き込まれた信号に基づいて記録を開始することにより、正確である、ことを特徴とする請求項１に記載の方法。
【請求項５】
予め形成されたトラックウォブルと、情報信号を記録するための予め定められた複数の位置を示す位置情報とを有する記録トラックを有し且つ前記位置の第１の位置は以前に記録された情報信号を含む記録担体上に、少なくとも１つの情報信号を記録する装置であって、前記装置は、
少なくとも１つの情報信号を表す変調された信号を発生する変調器手段と、
記録トラックを走査し且つ、記録クロック速度で、第１の記録された情報信号の後で且つ隣接して、その変調された信号を記録する記録手段とを有し、
前記装置は、
以前に記録された情報信号を読み出し且つ、前記以前に記録された情報信号の終了部分の位置に依存する位置で、その変調された信号の記録を開始する回復手段と、
前記記録クロック速度をトラックウォブルにロックする周波数ロック手段と、を有することを特徴とする装置。
【請求項６】
記録手段は、情報信号の中断を検出し、且つ、前記中断の検出後に、基準信号を使用することにより記録を停止し、且つ、中断後に情報信号の存在を検出し、且つ、前記存在検出後に、同じ基準信号を使用して記録を再開始する、検出手段を有する、請求項５に記載の装置。
【請求項７】
検出手段は、前記停止と再開始の両方に対する基準信号としてウォブルを検出する、請求項６に記載の装置。
【発明の詳細な説明】
【０００１】
本発明は、予め形成されたトラックウォブルと、情報を記録するための予め定められた複数の位置を示す位置情報とを有する記録トラックを有し且つ前記位置の第１の位置は以前に記録された情報信号を含む記録担体上に、少なくとも１つの情報信号を記録する方法であって、前記方法は、少なくとも１つの情報信号を表す変調された信号を発生し、且つ、記録トラックを走査し且つ、記録クロック速度で、第１の記録された情報信号の後で且つ隣接して、変調された信号を記録する方法に関連する。
【０００２】
本発明は、更に、予め形成されたトラックウォブルと、情報信号を記録するための予め定められた複数の位置を示す位置情報とを有する記録トラックを有し且つ前記位置の第１の位置は以前に記録された情報信号を含む記録担体上に、少なくとも１つの情報信号を記録する装置であって、前記装置は、少なくとも１つの情報信号を表す変調された信号を発生する変調器手段と、記録トラックを走査し且つ、記録クロック速度で、第１の記録された情報信号の後で且つ隣接して、その変調された信号を記録する記録手段とを有する装置に関連する。
【０００３】
記録担体に情報ユニットを連続して記録する方法及び装置は、米国特許番号ＵＳ５，１８７，６９９（ＰＨＱ８８００２）より知られている。そのユニットからの情報は、変調された信号に変調され、そして、予め記録されたトラック位置情報により示される、予め定められた位置でトラックに記録される。記録担体のトラックの隣接する領域に連続して信号を記録する処理は、リンキングと呼ばれる。既知のリンキング方法では、第１の変調された信号が完全に記録された後に、情報ユニットの最後のデータバイトの後のリンク位置まで記録処理は継続する。次の情報信号が記録されるときには、記録処理は、次の予め定められた位置の先頭まで、ダミー情報を記録することにより、リンク位置で開始される。この結果、第１の記録された信号と第２の記録された信号の間に、いわゆるリンキングブロックが形成され、そのリンキングブロックは、前記リンク位置を含む。光記録担体を走査する装置。記録可能ディスクの既知のシステムは、コンパクトディスクレコーダブル又はリライタブル（ＣＤ−Ｒ（Ｗ））である。ＣＤ−Ｒ（Ｗ）ディスクに記録する正しい位置を得るために、２つのパラメータが、ディスク上の記録の開始及び終了位置、及び、ディスク上の空のトラックの線速度に相対的なビットストリームの速度を、制御することを必要とする。セッション間では、位置精度は、プリグルーブ内に符号化された位置ＡＴＩＰ情報に基づいて、非常に粗い方法で制御される。ダミーデータを有するリンキングゾーンは、再生システムが、実際のユーザデータに到達する前に、ＰＬＬとｓｙｎｃ補間フライホイールを再ロックする十分な時間を有することを保証するために、記録の間に存在する。レコーダーへのデータストリームは、中断されるべきではない。レコーダへの中断されたデータストリームを対処したい場合には、記録を停止し、そして、データの損失なし且つ２つの部分の間にダミーデータの追加もなしに記録の残りをリンク出来るべきであり、後者はオレンジブックに準拠しないためである。今日のディスク書き込み器が困っている最大の問題は、いわゆる’バッファアンダーラン’である。ＣＤ−Ｒディスク上に記録するときに、ユーザに対する結果は、ユーザがディスクを捨て全てを開始しなければならないことであろう。
【０００４】
本発明の目的は、記録間のシームレスリンキングを提供することである。
【０００５】
このために、最初のパラグラフで記載された本方法は、この方法は、以前に記録された情報信号を読み出し且つ、前記記録クロック速度をトラックウォブルにロックしながら、前記以前に記録された情報信号の終了部分の位置に依存する位置で、その変調された信号の記録を開始することを特徴とする。  このために、最初のパラグラフで記載された本装置は、この装置は、以前に記録された情報信号を読み出し且つ、前記以前に記録された情報信号の終了部分の位置に依存する位置で、その変調された信号の記録を開始する回復手段と、前記記録クロック速度をトラックウォブルにロックする周波数ロック手段と、を有することを特徴とする。
【０００６】
本発明は、以下の認識に基づいている。記録の中断を行うために、停止及び再開始位置は、２チャネルビットより大きく異なるべきではない。これは、ユーザに対するデータの損失なしに良好な再生をするためである。これは、ＡＴＩＰに基づいてではなく、データそれ自身に基づいて、そして、丁度正確に１チャネルビットで、停止位置を定義することにより行うことができる。開始位置は、そして、終了位置が知られている前に書き込まれたデータを読み戻し、そして、復号器のディジタルビット回復ＰＬＬ、フライホイールフレーム同期信号及びサブコード情報から取り出されたタイミング情報に基づいて開始位置を決定することにより制御される。これは、停止位置に相対的な開始位置の空間的な精度を保証する。ビット周波数の連続性を保証するために、記録の両方の部分は、プリグルーブウォブルキャリアにロックされたクロックで行われる。両方の部分はそして、同じ基準から得られたビットレートを有する。
【０００７】
本発明のこれらの且つ他の特徴は、以下の説明の例により説明される実施例とと添付の図面を参照して更に詳細に説明され、明らかとなろう。
【０００８】
異なる図において、対応する要素は、同一の参照番号を有する。
【０００９】
図１ａは、トラック９と中央穴１０を有する、ディスク形状の記録担体１１を示す。情報を表す記録される（べき）マークのシーケンスの位置である、トラック９は、情報層上に実質的に平行なトラックを構成するターンのらせんパターンに従って、配置される。記録担体は、光ディスクと呼ばれる、光学的に読み出し可能でもよく、且つレコーダブル形式の情報層を有しても良い。レコーダブルディスクの例は、ＣＤ−Ｒ及びＣＤ−ＲＷ、ＤＶＤ＋ＲＷのような、ＤＶＤの書き込み可能版である。情報は、トラックに沿って、光学的に検出可能なマーク、即ち、相変化材料の結晶又はアモルファスマーク、を記録することにより、情報層に表現される。レコーダブル形式の記録担体のトラック９は、未記録記録担体の製造中に設けられるプリ−エンボスドトラック構造により示される。トラック構造は、例えば、読み出し／書きこみヘッドが走査中にトラックを追従することを可能とするプリグループ１４により、構成される。トラック構造は、通常はブロックと呼ばれる情報のユニットの位置を示すために、位置情報、例えば、アドレス、を有する。この位置情報は、そのようなユニットの先頭の位置を示す特別の同期化マークを含む。
【００１０】
図１ｂは、レコーダブル形式の記録担体１１の線ｂ−ｂに沿った断面図を示し、透明基板１５には、記録層１６と保護層１７が設けられている。保護層１７は、は、例えば、記録層が０．６ｍｍ基板で且つ更なる０．６ｍｍの基板が裏側に貼りつけられているＤＶＤでのように、更なる基板層を有してもよい。プリグループ１４は、基板１５材料のくぼみと隆起として又は、周囲からの材料特性の偏差として、実行される。
【００１１】
記録担体１１は、フレームを含む変調された信号により表される情報を担うことが意図されている。フレームは、同期信号が先行する予め定められた量のデータである。通常は、そのようなフレームも、例えば、パリティーワードのような、誤り訂正符号を含む。そのような記録システムの例は、フレームが１７２データワードと１０パリティワードを担う、ＤＶＤシステムから知られている。ＣＤシステムでは、誤り訂正は、ＧＢ２０７６５６９に記載されているように、いわゆるＣＩＲＣ（クロスインターリーブドリードソロモン符号）の、パリティワードとインターリービングにより行われる。（Ｃ１と呼ばれる）誤り訂正の第１の層は、ランダムエラーのような小さな局所的なエラーを訂正し、（Ｃ２と呼ばれる）第２の層は、バーストエラーのような、大きなエラーを訂正する。更に、ＣＤシステムでは、フレームはサブコードデータを含み、このサブコードは、例えば、再生時間の指示及びトラック／ポーズ指示子を含む。
【００１２】
図２は、例えば、ＣＤ−Ｒ又はＣＤ−ＲＷのような書き込み可能又は再書き込み可能な形式の記録担体１１に情報を書き込む記録装置を示す。この装置は、記録担体上のトラックを走査する記録手段が設けられ、その手段は、記録担体１１を回転させる駆動ユニット２１、ヘッド２２、トラックの半径方向にヘッド２２を粗く位置決めする位置決めユニット２５及び制御ユニット２０を有する。ヘッド２２は、記録担体の情報層のトラック上に放射スポット２３を集光させる光学系を通して案内される放射ビーム２４を発生する、既知の形式の光学系を含む。放射ビーム２４は、例えば、レーザダイオードのような放射源により発生される。ヘッドは更に、（図示していない）、前記ビームの光軸に沿って放射ビーム２４の焦点を移動させるフォーカスアクチュエータと、トラックの中心に関して半径方向にスポット２３の精密な位置決めをするトラッキングアクチュエータとを有する。トラッキングアクチュエータは、光学部品を半期方向に移動させるコイルを有してもよく又は、代わりに、反射部品の角度を変化させるように構成されても良い。情報を書き込むために、放射が、記録層に光学的に検出可能なマークを形成するために、制御される。読み出すために、情報層により反射された放射が、読み出し信号と前記トラッキング及びフォーカシングアクチュエータを制御するトラッキングエラー信号とフォーカシングエラー信号を含む更なる検出器信号を発生するために、ヘッド２２内の、例えば、４分割ダイオードのような、通常の形式の検出器により検出される。読み出し信号は、情報を取り出すために、復調器、デフォーマッター、及び出力ユニットを有する通常の形式の読み出し処理ユニット３０により処理される。これゆえに、読み出し情報を回復する手段は、駆動ユニット２１、ヘッド２２、位置決め手段２５及び読み出し処理ユニット３０を有する。この装置は、ヘッド２２を駆動する書き込み信号を発生するために、入力情報を処理する書き込み処理手段を有し、その手段は、入力ユニット２７及び、フォーマッタ２８と変調器２９を含む変調手段を含む。制御ユニット２０は、情報の記録と回復を制御し、そして、ユーザ又は、ホストコンピュータからのコマンドを受信するように構成される。制御ユニット２０は、例えば、システムバスの制御ライン２６を介して、前記入力ユニット２７、フォーマッタ２８及び変調器２９、読み出し処理ユニット３０及び駆動ユニット２１及び位置決めユニット２５に接続される。制御ユニット２０は、図３から７を参照して以下に説明する本発明に従った手順と機能を実行するために、例えば、マイクロプロセッサ、プログラムメモリ及び制御ゲートのような、制御回路を有する。制御ユニット２０は、論理回路の状態マシンとしても実行される。書き込み動作中に、情報を表すマークが、記録担体上に形成される。マークは、例えば、色素、合金又は相変化材料のような材料に記録するときに得られるそれらの周囲と異なる反射係数を有する領域の形式の、又は、光磁気材料に記録するときに得られる、周囲と異なる磁化の方向を有する領域の形式の、どのような光学的に読み出し可能な形式でも良い。光ディスク上に記録し且つ使用できるフォーマットをするために情報を書きこみ且つ読み出すために、誤り訂正とチャネル符号化規則は、例えば、ＣＤシステムのような従来技術でよく知られている。マークは、通常はレーザダイオードからの電磁放射のビーム２４を介して記録層に発生されたスポット２３の手段により形成されることが可能である。ユーザ情報は、入力ユニット２７に提示され、これは、アナログオーディオ及び／又はビデオ又は、ディジタル未圧縮オーディオ／ビデオのような入力信号に対する圧縮手段を有しても良い。適する圧縮手段は、ＷＯ９８／１６０１４−Ａ１（ＰＨＮ１６４５２）でオーディオに対して、そして、ＭＰＥＧ２規格でビデオに対して、記載されている。入力ユニット２７は、オーディオ及び／又はビデオを情報のユニットに処理し、これは、例えば、制御データを付加し且つ、誤り訂正符号（ＥＣＣ）及び／又はインターリービングにより、記録フォーマットに従ってデータをフォーマットする、フォーマッタ２８に送られる。コンピュータアプリケーションのために、情報のユニットは、フォーマッタ２８に直接的にインターフェースされる。フォーマッタ２８の出力からのフォーマットされたデータは、これは、例えば、ヘッド２２を駆動する変調された信号を発生する、チャネル符号化器を含む、変調ユニット２９に送られる。更に、変調ユニット２９は、変調信号内に同期パターンを含めるための、同期手段を有する。変調ユニット２９の入力に提示されるフォーマットされたユニットは、アドレス情報を含み、且つ、制御ユニット２０の制御の下で、記録担体上の対応するアドレス可能な位置に書き込まれる。リンキング情報は、リンキングユニット３１に接続され、このリンキングユニットは、変調された信号の発生を制御するために、フォーマッタ２８に接続される。本発明に従って、図２に示されたように、記録装置の制御ユニット２０とリンキングユニット３１は、図３から７を参照して以下に説明する方法に従って、記録されるべき情報を論理的に配置するために構成される。そのうえに、制御ユニット２０は、記録担体から読み出し処理ユニット３０を介してリンキング情報を読み出し、且つ、論理的に配置された情報に従って変調された信号を発生するためにリンキングユニット３１を制御するように構成される。
【００１３】
図３は、現在使用されているシステムのブロック図を示す。これは、符号化データ経路と制御を示す。制御部は、書き込みクロックの発生と、開始／停止制御を行うという、２つの主な機能を有する。現在のシステムでは、書き込みクロックは固定の水晶基準クロックから得られる。その周波数は、ディスクに書き込まれるサブコード同期信号とディスク上の変調されたウォブル信号内に符号化されたＡＴＩＰ同期信号の間の距離である、Ｘｅｒｒｏｒ計算から来る、追加の位相誤差により、精密に調整される。このシステムは、オレンジブック仕様に従うことを許す。開始と終了位置は、ウォブル信号から来るタイミング情報に完全に制御される。これは、精度がＥＦＭフレーム長の１／６の精度の、非常に粗い開始停止機構である。これは約９８チャネルビットである。符号化データ経路は、毎記録開始前に、フラッシュされ且つ初期化される。実際には、全体のデータ経路は初期化されない。ＥＦＭ変調器までのみ初期化される。これは、ディスクに書き込まれる最初の数バイトが誤りとなる。
【００１４】
更なる文書は、エンジンレベルでシームレスリンキング記録を行うために、チャネル符号化器が何をするかを説明する。この特徴は、バッファアンダーランの既知の問題を防ぐのに使用される。このために、バッファアンダーランが差し迫った時に、記録を停止し、そして、再生システム上の同期補間が記録が中断されたとわからないように、前に書き込まれた部分の後に、ビット精度で、記録の残りをリンクする必要がある。
【００１５】
読み出しシステムが妨害されないために、以下の要求：
−前と次の記録の間の周波数ジャンプがなく（又は、非常に小さく）、
−前と次の記録のＥＦＭ同期信号間の誤同期がなく（又は、非常に小さく）、基本的には新たな同期信号の最大シフトが＋／−３チャネルビットまでであり、
−前と次の記録ビットストリーム間及び位相ジャンプが制限されていること、
に合わせることが必要である。
【００１６】
基本的なシステムでは、第１と第２の点を仮定する。次の世代の実施例では、前と次の記録の間の位相ジャンプをより小さくする改善を説明する。シームレスリンキングは、基本的には、記録の前後に追加されたランインとランアウトブロックで、ＡＴＩＰに基づいて開始及び停止するのに対して、前に書き込まれた（及び読み出された）、それぞれ、現在書き込まれたサブコード及びサブコードフレーム内のビットオフセットに基づいて、記録を開始、それぞれ、停止する。この、前の記録に基づく開始は、第２の要求を保証せねばならない。第１の要求は、ウォブルに周波数ロックされた書き込みクロックを発生することにより、真のディスクにロックを書き込むことにより保証される。このシステムは、復調器、Ｑコード読み出し、開始／停止機構、ウォブルＰＬＬの実施例を含む。
【００１７】
図４は、シームレスリンクのブロック図を示す。セッションの開始はＡＴＩＰに基づいてなされる。ちょうどその時、データストリームの中断が差し迫っており、開始／停止機構が、ウォブルにロックからデータにロックへ、切り替わる。新たなシステムは、現在の機構と以下の点で異なる。
−書き込みクロックは、完全にディスクにロックされて発生され、これは、ディジタルウォブルＰＬＬにより回復されたウォブルキャリアは、基準として、意味する。これは、現在のシステムで既に可能であり、しかし、書き込みクロック発生ジッターについて、改善がなされる。ウォブルＰＬＬについての相反する帯域要求がある。
−主記録に対する開始と停止は、ＡＴＩＰに関して行われるが、しかし、バッファアンダーランが差し迫った時の記録に関する保持と回復動作については、更に正確に停止し且つ再開始する必要がある。停止位置は、書き込まれたデータ：サブコードフレーム、ＥＦＭフレーム及びフレーム内のビット、についてビット精度でなされる。開始と停止位置は、完全にプログラマブルである。開始位置は、サブコードフレーム−ＥＦＭフレーム及びフレーム内のビットの形式で、ディスク上に既に書き込まれたデータによって決定される必要がある。これは、再生フロントエンド部分（ＰＬＬ、ビット検出及びＥＦＭ復調器）によりなされることができる。開始位置は、ＥＦＭ及びサブコード同期信号及びサブコードの内容の位置をフライホイールする補間機構により、再度強化される。同期信号補間は、現在の再生システムに既に存在する。サブコードフレームアドレスに関する補間は追加される必要がある。開始位置の精度は、シームレスリンク機構の品質を決定するファクターである。精度は、再生検出システム（ＰＬＬ）のタイミング精度に依存する。基本的には、これは、ビット検出回路が実行しているクロック源の精度までである。開始位置精度に関しては、簡単に実行でき且つ粗いものから、実質的に無限のリンキング精度を有する更に困難な実行の、異なる実施例がある。幾つかの実施例は、ステップごとのアプローチを許す。これを、次のセクションでより説明する。
−符号化データ経路は、全体のデータ経路パイプラインが凍結されるが、しかし書き込みクロックは動作している、保持状態を有することを必要とする。保持状態は、開始／停止機構により示される。開始位置制御に関する異なる実施例を、以下のセクションで説明する。全ての実施例で、停止機構は、同じである。
【００１８】
開始位置制御の実施例は、以下に説明され、固定のシステムクロックに関して単純な開始位置で開始する。このシステムでは、フロントエンドディジタルＰＬＬが現状のままで使用される。このＰＬＬは、固定のシステムクロックで動作する。システムクロック周波数が、約チャネルビットレートであるように選択される場合には、ＥＦＭフレームのビットまで開始位置を決定できる。開始位置は、完全にプログラマブルである。これは、書き込むために、ディスク上の光信号を読み返すために、ディスク上の光ディスク信号から、アップ及びダウンストリームデータ経路を通した遅延のために、ソフトウェアで補償し且つ精密に調整することを可能とした。再開コマンドは、実際には、書き込みクロックに関して、出力データシフターを制御しているので、システムクロックから書き込みクロックへ最初に再クロックされねばならない。再開コマンドは、レーザオン信号の形式で、外界からも与えられる。
【００１９】
図５は、単純なリンキング機構を示す。システムクロックと書き込みクロックの間に固定の位相関係はないので、開始位置の粒状性を決定する２つの不確定性：システムクロックに関する入力ビットストリームの位相と書き込みクロックに関するシステムクロックの位相、がある。システム周期、ビットクロック周期、を挙げると、開始位置は２チャネルビットクロック周期より低い精度で制御される。前と次の記録ビットストリームの間の位相誤差は、最悪の場合１８０度である。このシステムは、第１ステップとして使用される。これに関してなされる全ての変更は、他の実施例にも必要であり、これは、位相誤差を小さくするように改善のみを行う。現在のシステムに関してなされる変更は次のようである。
−現在のフロントエンドＰＬＬと復調器から幾つかの制御信号を抽出し、
−サブコードアドレスに補間保護を追加し、
−開始制御を新たな入力でそして、更に正確に修正する。
【００２０】
以下の実施例は、書きこみクロック再同期により、開始位置を精密に調整する。開始コマンドがシステムクロックに関して与えられると、このコマンドと実際のビットストリームの間の位相誤差が、ディジタルＰＬＬ内のＤＴＯの位相から抽出される。この位相誤差は、書き込みクロックのいくつかのサブ部分で開始位置を遅延するのに使用されることができる。これは、書き込みクロックが、書き込みクロックよりも非常に高い周波数で発振しているＶＣＯの出力を分周して発生されるので、行うことが可能である。システムクロックと、ディジタルＰＬＬ内のシステムクロックで測定された再生ビットクロックの間の位相誤差をフィードフォワードすることにより、カウントダウン回路は、この位相誤差の補数でプリセットされ、そして、幾つかの離散ステップで位相誤差を補償する。実際には、カウントダウン回路が行っているものは、書き込みクロックの位相を、ディスク上のビットクロックの位相に合わせることにより、前のセクションで説明されたシステムからの可能な位相誤差を減少させることである。これは、ちょうど前の記録に、書きこみクロックを再同期させることによりなされる。カウントダウン回路にフィードフォワードされた位相へオフセットを加えることにより、システム内の遅延を更に正確に補償することができる。精度は、結果的には、オーバークロッキングＶＣＯの周期である。周波数が高くなるほど、開始位置は正確である。
【００２１】
図６は、書き込みクロック再同期機構のブロック図を示す。この実施例のために、書き込みクロック発生は修正されねばならない。書き込みクロックディバイダーは、アナログブロックの非常に近くに移動されねばならない。非常に高速な動作を補償する、クロックツリーの挿入が許されていないので、それらは、スキャンテストからも除去される。非常に良好なレイアウトが、この回路にも行われなければならない（おそらく手動でなされなければならない）。変更は中程度の困難さである。下側は、精度がまだ離散的であり、そして、ＶＣＯの速度に依存する。１６ｘ書き込みシステムでは、現在は、発振器は書きこみクロックの４倍の速度で動作するように選択される。これは、最も高い精度が、まだ書き込みクロックの１／４程度であることを意味し、これは＋／−９０°位相シフトである。
【００２２】
図７は、非常に正確なリンキングのブロック図を示す。この実施例は、入力するビットストリームに関して書き込みクロックをロックすることにより、非常に正確な位相リンクである。前の実施例の主な問題は、読み出しＰＬＬが時間に離散的であり、そして、書きこみ処理と異なるクロック領域上にあることである。しかしながら、それらを１クロック領域上にもってくれば、そして、書き込みクロックの位相を再生ＥＦＭストリームの位相にロックすれば、位相精度は、ちょうどジッターに依存し、これは低いべきである。これは、フロントエンドＰＬＬを混合された信号のＰＬＬに修正することにより行うことができる。ＤＴＯは、そして、除去され、書き込みクロックシンセサイザにより置き換えられる。ＡＤＣ、ゼロクロス検出器及びディジタルループフィルタは、変化するクロック上に置かれる。書き込みクロックと入力クロックの間の位相差は、ゼロクロスを、２つの書きこみクロックの立ち上がりエッジの間のプログラマブル位相に調整することにより調整される。ディジタルサンプルレート変換器は、実際には、アナログサンプルレート変換器に変更されるので、システムとして、これは、現在のシステムと大きく異ならない。読み出しから書き込みに切り変えるときに、書き込みクロック発生は、ＥＦＭにロックからウォブルにロックへ切り換えられねばならない。
【００２３】
本発明を、主に、ＣＤ−Ｒを使用する実施例により説明したが、同様な実施例は、ＤＶＤ−Ｒ又は、ＤＶＤ＋ＲＷのような他の光記録システムに適する。また、情報担体については、光ディスクが記載されたが、しかし、磁気ディスク又は、テープのような、他の媒体も使用し得る。この書類では、単語’含む（有する）’は、記載された以外の構成要素又はステップの存在を除外せず、且つ構成要素の前の’ａ’又は’ａｎ’は、そのような複数の構成要素の存在を除外せず、参照符号は本発明の範囲を制限せず、本発明は、ハードウェア及びソフトウェアの両方により実行され、そして、いくつかの’手段’はハードウェアの同じものにより表現されることに、注意する。さらに、本発明の範囲は実施例には制限されず、且つ、本発明は、新たな特徴又は上述の特徴の組合せがある。
【図面の簡単な説明】
【図１ａ】
記録担体（の平面図）を示す図である。
【図１ｂ】
記録担体（の断面図）を示す図である。
【図２】
記録装置を示す図である。
【図３】
現在使用されているシステムのブロック図を示す図である。
【図４】
シームレスリンキングのブロック図を示す図である。
【図５】
単純なリンキング機構を示す図である。
【図６】
書き込みクロック再同期機構のブロック図を示す図である。
【図７】
非常に正確なリンキングのブロック図を示す図である。
【図３】
2004517431.tif 000003
【図４】
2004517431.tif 000004
【図５】
2004517431.tif 000005
【図６】
2004517431.tif 000006
【図７】
2004517431.tif 000007
【国際公開パンフレット】
2004517431.tif 000008
2004517431.tif 000009
2004517431.tif 000010
2004517431.tif 000011
2004517431.tif 000012
2004517431.tif 000013
2004517431.tif 000014
2004517431.tif 000015
2004517431.tif 000016
2004517431.tif 000017
2004517431.tif 000018
2004517431.tif 000019
2004517431.tif 000020
2004517431.tif 000021
2004517431.tif 000022
2004517431.tif 000023
【国際調査報告】
2004517431.tif 000024
2004517431.tif 000025